(57)【要約】【課題】ユーザーは自ら移動せずに順次、植物を移動させて各植物に対して作業できる栽培装置を提供する。【解決手段】栽培装置２００は、植物ＰＴを支持する植物支持体２１０と、培養液ＦＬを貯える培養液用容器２２０と、培養液ＦＬを植物ＰＴへ導く給液用導液材２３０とを備え、培養液用容器２２０が、所定の方向Ｄ１に延設され、植物支持体２１０および給液用導液材２３０が、培養液用容器２２０に対して所定方向に沿って移動自在に複数配列され、給液用導液材２３０が、植物支持体２１０から培養液用容器２２０の内部の培養液ＦＬまで延設されている。【選択図】図９
2020025511.tif 000002
【特許請求の範囲】
【請求項１】
植物を支持する植物支持体と、培養液を貯える培養液用容器と、培養液を植物へ導く給液用導液材とを備えた栽培装置において、
前記培養液用容器が、所定の方向に延設され、
前記植物支持体および給液用導液材が、前記培養液用容器に対して所定方向に沿って移動自在に複数配列され、
前記給液用導液材が、前記植物支持体から培養液用容器の内部の培養液まで延設されていることを特徴とする栽培装置。
【請求項２】
前記所定の方向へ牽引する牽引手段をさらに有し、
前記植物支持体が、前記牽引手段と連結されて牽引手段に牽引されて所定の方向へ移動する構成であることを特徴とする請求項１に記載の栽培装置。
【請求項３】
植物を支持する植物支持体と、培養液を貯える培養液用容器と、培養液を植物へ導く給液用導液材とを備えた栽培装置において、
前記培養液用容器が、培養液用容器の内部に植物支持体と給液用導液材とを有して所定の方向に案内するガイドに沿って移動自在に複数配列されるとともに、所定の方向に培養液を供給自在なチューブ部材によって連結され、
前記チューブ部材が、前記所定の方向に隣り合う培養液用容器間において一方の培養液用容器から他方の培養液用容器へ培養液を流入自在に設けられていることを特徴とする栽培装置。
【請求項４】
前記ガイドが、所定の方向に延設されたレール部材であり、
前記レール部材の上を走行する台車が、前記所定の方向に複数配列され、
前記培養液用容器が、それぞれ台車の上に載置されている構成であることを特徴とする請求項３に記載の栽培装置。
【請求項５】
前記レール部材の上に駆動手段を有した駆動車が配置され、
前記駆動車が、前記培養液用容器を載置した台車と連結されている構成であることを特徴とする請求項４に記載の栽培装置。
【請求項６】
前記駆動車がエンコーダを有し、駆動車の外部からの１回の入力信号に基づいて、駆動車の制御部が、所定の方向に連結された一方の台車における所定の方向の中心から他の台車における所定の方向の中心までの１ピッチ分駆動車を移動させる構成であることを特徴とする請求項５に記載の栽培装置。
【請求項７】
前記培養液用容器を覆う蓋部材をさらに有し、
前記蓋部材が、前記培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲い、
複数の培養液用容器のうちの１つの培養液用容器のみに水位計が配設されている構成であることを特徴とする請求項３乃至請求項６のいずれか１つに記載の栽培装置。
【請求項８】
前記チューブ部材が、前記所定の方向に延設された本管部分と、本管部分と各培養液用容器とを繋ぐ支管部分とを有し、
各支管部分が、開閉自在な弁を有している構成であることを特徴とする請求項３乃至請求項７のいずれか１つに記載の栽培装置。
【請求項９】
前記給液用導液材がシート状であり、給液用導液材における植物支持体から下方へ垂れ下がる部分が、前記下方へ向かって幅細に形成されている構成であることを特徴とする請求項１乃至請求項８のいずれか１つに記載の栽培装置。
【発明の詳細な説明】
【技術分野】
【０００１】
本発明は、植物を支持する植物支持体と、培養液を貯える培養液用容器と、培養液を植物へ導く給液用導液材とを備えた栽培装置に関する。
【背景技術】
【０００２】
従来、植物を支持する植物支持体と、培養液を貯える培養液用容器と、培養液を植物へ導くシート状給液用導液材と、培養液用容器を覆う蓋部材とを備え、シート状給液用導液材の少なくとも一つの端部が、培養液用容器の内部の培養液に浸かるとともに、シート状給液用導液材の中央部が、植物支持体の上に配設され、植物の根が、シート状給液用導液材の中央部の上に設置され、蓋部材が、培養液用容器に対して着脱自在に培養液用容器の長手方向に複数配設されているとともに、長手方向の端部に切り欠き部を有し、隣り合う蓋部材の切り欠き部同士または切り欠き部および端部が植物の茎の周囲を囲っている栽培装置が知られている（例えば、特許文献１）。
【先行技術文献】
【特許文献】
【０００３】
【特許文献１】特開２０１８−６４４６３号公報（特に、段落０００６参照）
【発明の概要】
【発明が解決しようとする課題】
【０００４】
しかしながら、上述した従来の栽培装置は、任意の場所に設置されて移動しない構成であったため、複数の培養液用容器を設置した場合、ユーザーが各培養液用容器の近傍まで移動する必要があり、ユーザーが、例えば、脚や腰に障がいを有していた場合、１つの培養液用容器の植物に対して作業してから隣の培養液用容器の近傍まで移動するのが困難であるという問題があった。
さらに、各培養液用容器に培養液を供給する必要があり、各培養液用容器に対して培養液を減った分だけ補充しなければならず、各培養液用容器に移動するのが困難であるという問題があった。
【０００５】
そこで、本発明は、前述したような従来技術の問題を解決するものであって、すなわち、本発明の目的は、ユーザーは自ら移動せずに順次、植物を移動させて各植物に対して作業できる栽培装置を提供することである。
【課題を解決するための手段】
【０００６】
本請求項１に係る発明は、植物を支持する植物支持体と、培養液を貯える培養液用容器と、培養液を植物へ導く給液用導液材とを備えた栽培装置において、前記培養液用容器が、所定の方向に延設され、前記植物支持体および給液用導液材が、前記培養液用容器に対して所定方向に沿って移動自在に複数配列され、前記給液用導液材が、前記植物支持体から培養液用容器の内部の培養液まで延設されていることにより、前述した課題を解決するものである。
【０００７】
本請求項２に係る発明は、請求項１に記載された栽培装置の構成に加えて、前記所定の方向へ牽引する牽引手段をさらに有し、前記植物支持体が、前記牽引手段と連結されて牽引手段に牽引されて所定の方向へ移動する構成であることにより、前述した課題をさらに解決するものである。
【０００８】
本請求項３に係る発明は、植物を支持する植物支持体と、培養液を貯える培養液用容器と、培養液を植物へ導く給液用導液材とを備えた栽培装置において、前記培養液用容器が、培養液用容器の内部に植物支持体と給液用導液材とを有して所定の方向に案内するガイドに沿って移動自在に複数配列されるとともに、所定の方向に培養液を供給自在なチューブ部材によって連結され、前記チューブ部材が、前記所定の方向に隣り合う培養液用容器間において一方の培養液用容器から他方の培養液用容器へ培養液を流入自在に設けられていることにより、前述した課題を解決するものである。
【０００９】
本請求項４に係る発明は、請求項３に記載された栽培装置の構成に加えて、前記ガイドが、所定の方向に延設されたレール部材であり、前記レール部材の上を走行する台車が、前記所定の方向に複数配列され、前記培養液用容器が、それぞれ台車の上に載置されている構成であることにより、前述した課題をさらに解決するものである。
【００１０】
本請求項５に係る発明は、請求項４に記載された栽培装置の構成に加えて、前記レール部材の上に駆動手段を有した駆動車が配置され、前記駆動車が、前記培養液用容器を載置した台車と連結されている構成であることにより、前述した課題をさらに解決するものである。
【００１１】
本請求項６に係る発明は、請求項５に記載された栽培装置の構成に加えて、前記駆動車がエンコーダを有し、駆動車の外部からの１回の入力信号に基づいて、駆動車の制御部が、所定の方向に連結された一方の台車における所定の方向の中心から他の台車における所定の方向の中心までの１ピッチ分駆動車を移動させる構成であることにより、前述した課題をさらに解決するものである。
【００１２】
本請求項７に係る発明は、請求項３乃至請求項６のいずれか１つに記載された栽培装置の構成に加えて、前記培養液用容器を覆う蓋部材をさらに有し、前記蓋部材が、前記培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲い、複数の培養液用容器のうちの１つの培養液用容器のみに水位計が配設されている構成であることにより、前述した課題をさらに解決するものである。
【００１３】
本請求項８に係る発明は、請求項３乃至請求項７のいずれか１つに記載された栽培装置の構成に加えて、前記チューブ部材が、前記所定の方向に延設された本管部分と、本管部分と各培養液用容器とを繋ぐ支管部分とを有し、各支管部分が、開閉自在な弁を有している構成であることにより、前述した課題をさらに解決するものである。
【００１４】
本請求項９に係る発明は、請求項１乃至請求項８のいずれか１つに記載された栽培装置の構成に加えて、前記給液用導液材がシート状であり、給液用導液材における植物支持体から下方へ垂れ下がる部分が、前記下方へ向かって幅細に形成されている構成であることにより、前述した課題をさらに解決するものである。
【発明の効果】
【００１５】
本発明の栽培装置は、植物を支持する植物支持体と、培養液を貯える培養液用容器と、培養液を植物へ導く給液用導液材とを備えていることにより、培養液を培養液用容器の内部の下方から上方の植物へ供給して植物を栽培することができるばかりでなく、以下のような特有の効果を奏することができる。
【００１６】
本請求項１に係る発明の栽培装置によれば、各植物支持体および給液用導液材が培養液用容器の延設方向である所定の方向へ移動自在なため、ユーザーは自ら所定の方向へ移動せずに植物支持体および給液用導液材と一体に植物を所定の方向へ移動させて隣の植物に対して作業をすることができる。
つまり、ユーザーが障がいを有して移動が困難である場合であっても、ユーザーは自ら移動せずに順次、植物支持体および給液用導液材と一体に植物を移動させて各植物に対して作業をすることができる。
さらに、植物支持体および給液用導液材が移動した際、培養液用容器の内部の培養液が給液用導液材によって撹拌されるため、培養液が腐ってしまうことを回避することができる。
【００１７】
本請求項２に係る発明の栽培装置によれば、請求項１に係る発明が奏する効果に加えて、植物が植物支持体と一体に牽引手段に牽引されて所定の方向へ移動するため、ユーザーは植物および植物支持体を移動させる必要がなく、ユーザーの負担を軽減することができる。
つまり、ユーザーが重度の障がいを有している場合であっても植物および植物支持体を培養液用容器に対して所定の方向へ移動させて各植物に対して作業をすることができる。
【００１８】
本請求項３に係る発明の栽培装置によれば、１つの培養液用容器を所定の方向へ移動させると他の培養液用容器に動力が伝達されて移動するため、ユーザーは自ら他の培養液用容器の場所へ移動せずに１つの培養液用容器を移動させて他の培養液用容器をユーザーの位置の前まで移動させて植物に対して作業をすることができる。
つまり、ユーザーが障がいを有して移動が困難である場合であっても、ユーザーは自ら移動せずに順次、培養液用容器を移動させて各培養液用容器の植物に対して作業をすることができる。
さらに、１つの培養液用容器の内部に培養液を供給するだけで１つの培養液用容器の培養液の水位と他の培養液用容器の培養液の水位との水位差により１つの培養液用容器から他の培養液用容器へ培養液がチューブ部材を介して流れるため、ユーザーは自ら他の培養液用容器の場所へ移動せずに１つの培養液用容器に培養液を供給するだけで他の培養液用容器へも培養液を供給することができる。
【００１９】
本請求項４に係る発明の栽培装置によれば、請求項３に係る発明が奏する効果に加えて、培養液用容器が台車に支えられて安定するとともに移動自在となるため、ユーザーは各培養液用容器の植物に対して簡単に作業をすることができる。
さらに、培養液用容器を所定の方向へ安定させて移動させることができる。
【００２０】
本請求項５に係る発明の栽培装置によれば、請求項４に係る発明が奏する効果に加えて、駆動車の動力が各台車へ伝達されて各培養液用容器が所定の方向へ移動するため、ユーザーは台車および培養液用容器を移動させる必要がなく、ユーザーの負担を軽減することができる。
つまり、ユーザーが重度の障がいを有している場合であっても培養液用容器を移動させて各培養液用容器の植物に対して作業をすることができる。
【００２１】
本請求項６に係る発明の栽培装置によれば、請求項５に係る発明が奏する効果に加えて、ユーザーが一回操作するだけで１ピッチ分それぞれの培養液用容器が移動するため、ユーザーは自ら移動することなく順次培養液用容器の植物に対して作業をすることができる。
【００２２】
本請求項７に係る発明の栽培装置によれば、請求項３乃至請求項６のいずれか１つに係る発明が奏する効果に加えて、培養液の蒸発を抑制するとともに断熱効果で培養液を比較的低温に保つことができ、さらに、雨が降ったときに雨が蓋部材に当たり雨水が培養液用容器の内部に入ってしまうことを回避して微生物の発生や培養液の濃度が薄くなるなどの不都合を防止できるばかりでなく、以下のような特有の効果を奏することができる。
また、水位差がなくなり水位が全て同じになるため、１つの水位計で全ての培養液用容器の水位を計測することができる。
さらに、蓋部材を培養液用容器から取り外すときに植物を移動させる必要がないため、容易に蓋部材を培養液用容器から取り外すことができる。
また、蓋部材を培養液用容器から取り外すことで内部の様子を目視可能となるため、容易に培養液用容器の内部を確認して点検することができる。
【００２３】
本請求項８に係る発明の栽培装置によれば、請求項３乃至請求項７のいずれか１つに係る発明が奏する効果に加えて、弁の開閉により培養液が供給される培養液用容器が選択されるため、ユーザーは使用する培養液用容器と使用しない培養液用容器とを簡単に切り替えることができる。
さらに、弁を開にした培養液用容器間は水位が等しくなるため、ユーザーは培養液の供給量を簡単に管理することができる。
【００２４】
本請求項９に係る発明の栽培装置によれば、請求項１乃至請求項８のいずれか１つに係る発明が奏する効果に加えて、幅均一の形状の場合と比べて、培養液の量が減少するとシート状の給液用導液材における培養液との接触面積が著しく減少するため、例えば、植物の午前中の培養液の吸い上げ量を多くして、午後の培養液の吸い上げ量を著しく少なくすることができる。
【図面の簡単な説明】
【００２５】
【図１】本発明の第１実施例である栽培装置の全体の概念を示す平面図。
【図２】図１の符号２から視た側面図。
【図３】図２の符号３から視た栽培装置の概略を示す平面図。
【図４】図３に示す符号４−４で視た概略断面図。
【図５】取り外した状態の蓋部材を示す概略平面図。
【図６】本発明のチューブ部材に弁を設けた変形例を示す平面図。
【図７】（Ａ）（Ｂ）は本発明の培養液用容器およびシート状の給液用導液材の変形例を示す断面図。
【図８】本発明の培養液用容器に誘引用棚を取り付けた変形例を示す断面図。
【図９】本発明の第２実施例である栽培装置の全体の概念を示す側面図。
【図１０】図９の符号１０から視た図。
【発明を実施するための形態】
【００２６】
本発明の栽培装置は、植物を支持する植物支持体と、培養液を貯える培養液用容器と、培養液を植物へ導く給液用導液材とを備え、培養液用容器が、所定の方向に延設され、植物支持体および給液用導液材が、培養液用容器に対して所定方向に沿って移動自在に複数配列され、給液用導液材が、植物支持体から培養液用容器の内部の培養液まで延設されていることにより、ユーザーは自ら移動せずに順次、植物支持体および給液用導液材と一体に植物を移動させて各植物に対して作業をすることができるものであれば、その具体的な実施態様は、如何なるものであっても構わない。
植物支持体自体は、培養液用容器の内部または外部のいずれに配置されていてもよい。
また、本発明の栽培装置は、植物を支持する植物支持体と、培養液を貯える培養液用容器と、培養液を植物へ導く給液用導液材とを備え、培養液用容器が、培養液用容器の内部に植物支持体と給液用導液材とを有して所定の方向に案内するガイドに沿って移動自在に複数配列されるとともに、所定の方向に培養液を供給自在なチューブ部材によって連結され、チューブ部材が、所定の方向に隣り合う培養液用容器間において一方の培養液用容器から他方の培養液用容器へ培養液を流入自在に設けられていることにより、ユーザーは自ら移動せずに順次、培養液用容器を移動させて各培養液用容器の植物に対して作業をすることができるものであれば、その具体的な実施態様は、如何なるものであっても構わない。
【００２７】
ここで、培養液用容器の内部には、給液用導液材および培養液が配置されて、所謂、底面給水型となるものであれば、内部の構造や配置は如何なるものであっても構わない。
例えば、容器支持体が、栽培容器より小径の穴を有するとともに栽培容器と培養液用容器の内部の培養液との間に配設されて栽培容器と培養液用容器の内部の培養液との間に空気で満たされた空間部を形成し、給液用導液材が、培養液用容器の内部の培養液から空間部を介して栽培容器の内部へ延設されている構成でもよい。
また、植物を収容する栽培容器と、栽培容器を支持する容器支持体と、培養液を貯える培養液用容器と、培養液を栽培容器の内部の植物へ導く給液用導液材とを備え、給液用導液材が、容器支持体の上に配設されるとともに、給液用導液材の一部が、培養液用容器の内部の培養液に浸かり、栽培容器が、筒状側壁部と防根フィルムで形成された底フィルム部とを有して給液用導液材の上に載置自在に設けられ、栽培容器が給液用導液材の上に載置されているとき、底フィルム部が、給液用導液材と接触している構成でもよい。
さらに、植物を支持する植物支持体と、培養液を貯える培養液用容器と、培養液を植物へ導く給液用導液材と、培養液用容器を覆う蓋部材とを備え、給液用導液材の少なくとも一つの端部が、培養液用容器の内部の培養液に浸かるとともに、給液用導液材の中央部が、植物支持体の上に配設され、植物の根が、給液用導液材の中央部の上に設置され、蓋部材が、培養液用容器に対して着脱自在に培養液用容器の長手方向に複数配設されているとともに、長手方向の端部に切り欠き部を有し、隣り合う蓋部材の切り欠き部同士または切り欠き部および端部が植物の茎の周囲を囲っている構成でもよい。
【実施例１】
【００２８】
以下に、本発明の第１実施例である栽培装置１００について、図１乃至図８に基づいて説明する。
ここで、図１は、本発明の第１実施例である栽培装置１００の全体の概念を示す平面図であり、図２は、図１の符号２から視た側面図であり、図３は、図２の符号３から視た栽培装置１００の概略を示す平面図であり、図４は、図３に示す符号４−４で視た概略断面図であり、図５は、取り外した状態の蓋部材１４０を示す概略平面図であり、図６は、本発明のチューブ部材１８０に弁１８３を設けた変形例を示す平面図であり、図７（Ａ）は、本発明の培養液用容器１２０およびシート状の給液用導液材１３０の変形例を示す断面図であり、図７（Ｂ）は、本発明の培養液用容器１２０およびシート状の給液用導液材１３０の他の変形例を示す断面図であり、図８は、本発明の培養液用容器１２０に誘引用棚１９４を取り付けた変形例を示す断面図である。
【００２９】
本発明の第１実施例である栽培装置１００は、図１乃至図８に示すように、植物ＰＴを支持する植物支持体１１０と、培養液ＦＬを貯える培養液用容器１２０と、培養液ＦＬを植物ＰＴへ導くシート状の給液用導液材１３０とを備えている。
そして、培養液用容器１２０が、培養液用容器１２０の内部に植物支持体１１０とシート状の給液用導液材１３０とを有して所定の方向Ｄ１に案内するガイドに沿って移動自在に複数配列されるとともに、所定の方向Ｄ１に培養液ＦＬを供給自在なチューブ部材１８０によって連結されている。
さらに、チューブ部材１８０が、所定の方向Ｄ１に隣り合う培養液用容器１２０間において一方の培養液用容器１２０から他方の培養液用容器１２０へ培養液ＦＬを流入自在に設けられている。
【００３０】
具体的には、栽培装置１００は、植物支持体１１０と、培養液用容器１２０と、シート状の給液用導液材１３０と、ガイドであるレール部材１７０と、チューブ部材１８０と、台車１９０とを備えている。
このうち、植物支持体１１０は、植物ＰＴを支持するものであり、培養液用容器１２０の内部に配設されている。
また、レール部材１７０は、一例として平面視ループ状に２本形成されている。
台車１９０は、複数配列され、レール部材１７０の上を走行するように構成されている。
台車１９０と台車１９０との間は、一例として連結用ロープ１９２によって連結されている。
なお、チューブ部材１８０が連結用ロープ１９２を兼ねてもよい。
【００３１】
そして、植物支持体１１０、培養液用容器１２０、およびシート状の給液用導液材１３０が台車１９０の上に載置されている。
また、チューブ部材１８０は、各培養液用容器１２０と接続されている。
なお、一例として各培養液用容器１２０を載置した各台車１９０がレール部材１７０の上を走行するように構成したが、ガイドとしてのレール部材１７０に変えて水路を設けて各培養液用容器１２０が水路の水の上を浮かびながら所定の方向Ｄ１へ移動する構成でもよい。
【００３２】
これにより、１つの培養液用容器１２０の内部に培養液ＦＬを供給するだけで１つの培養液用容器１２０の培養液ＦＬの水位ＷＬと他の培養液用容器１２０の培養液ＦＬの水位ＷＬとの水位差により１つの培養液用容器１２０から他の培養液用容器１２０へ培養液ＦＬがチューブ部材１８０を介して流れる。
その結果、ユーザーは自ら他の培養液用容器１２０の場所へ移動せずに１つの培養液用容器１２０に培養液ＦＬを供給するだけで他の培養液用容器１２０へも培養液ＦＬを供給することができる。
【００３３】
さらに、１つの培養液用容器１２０を所定の方向Ｄ１へ移動させると他の培養液用容器１２０に動力が伝達されて移動する。
その結果、ユーザーは自ら他の培養液用容器１２０の場所へ移動せずに１つの培養液用容器１２０を移動させて他の培養液用容器１２０をユーザーの位置の前まで移動させて植物ＰＴに対して作業をすることができる。
つまり、ユーザーは自ら移動せずに順次、培養液用容器１２０を移動させて各培養液用容器１２０の植物ＰＴに対して作業をすることができる。
作業には、例えば、果実の収穫、葉や枝の剪定がある。
【００３４】
本実施例では、ガイドが、所定の方向Ｄ１に延設されたレール部材１７０である。
さらに、レール部材１７０の上を走行する台車１９０が、所定の方向Ｄ１に複数配列されている。
そして、培養液用容器１２０が、それぞれ台車１９０の上に載置されている。
これにより、培養液用容器１２０が台車１９０に支えられて安定するとともに移動自在となる。
その結果、ユーザーは各培養液用容器１２０の植物ＰＴに対して簡単に作業をすることができる。
さらに、培養液用容器１２０を所定の方向Ｄ１へ安定させて移動させることができる。
【００３５】
さらに、本実施例では、レール部材１７０の上に駆動手段の一例であるモータ１９１を有した駆動車１９０Ａが配置されている。
そして、駆動車１９０Ａが、培養液用容器１２０を載置した台車１９０と連結されている。
これにより、駆動車１９０Ａの動力が各台車１９０へ伝達されて各培養液用容器１２０が所定の方向Ｄ１へ移動する。
その結果、ユーザーは台車１９０および培養液用容器１２０を移動させる必要がなく、ユーザーの負担を軽減することができる。
つまり、ユーザーが重度の障がいを有している場合であっても培養液用容器１２０を移動させて各培養液用容器１２０の植物ＰＴに対して作業をすることができる。
【００３６】
さらに、本実施例では、駆動車１９０Ａがエンコーダを有している。
そして、駆動車１９０Ａの外部の一例であるリモートコントローラ１９３からの１回の入力信号に基づいて、駆動車１９０Ａの制御部が、所定の方向Ｄ１に連結された一方の台車１９０における所定の方向Ｄ１の中心から他の台車１９０における所定の方向Ｄ１の中心までの１ピッチ分駆動車１９０Ａを移動させるように構成されている。
これにより、ユーザーが一回操作するだけで１ピッチ分それぞれの培養液用容器１２０が移動する。
その結果、ユーザーは自ら移動することなく順次培養液用容器１２０の植物ＰＴに対して作業をすることができる。
なお、エンコーダは、ロータリーエンコーダでもよいし、直線上のリニアエンコーダでもよい。
【００３７】
さらに、本実施例では、図３乃至図５に示すように、栽培装置１００が、培養液用容器１２０を覆う蓋部材１４０をさらに有している。
これにより、培養液ＦＬの蒸発を抑制するとともに断熱効果で培養液ＦＬを比較的低温に保つことができ、さらに、雨が降ったときに雨が蓋部材１４０に当たり雨水が培養液用容器１２０の内部に入ってしまうことを回避して微生物の発生や培養液ＦＬの濃度が薄くなるなどの不都合を防止できる。
【００３８】
さらに、蓋部材１４０が、培養液用容器１２０に対して着脱自在に培養液用容器１２０の長手方向Ｄ２に複数配設されているとともに、長手方向Ｄ２の端部に切り欠き部１４１を有し、隣り合う蓋部材１４０の切り欠き部１４１同士または切り欠き部１４１および端部が植物ＰＴの茎ＰＴ２の周囲を囲うように構成されている。
これにより、蓋部材１４０を培養液用容器１２０から取り外すときに植物ＰＴを移動させる必要がない。
その結果、容易に蓋部材１４０を培養液用容器１２０から取り外すことができる。
また、蓋部材１４０を培養液用容器１２０から取り外すことで内部の様子を目視可能となる。
その結果、容易に培養液用容器１２０の内部を確認して点検することができる。
【００３９】
また、植物支持体１１０は、図４に示すように、植物ＰＴを支持するものであり、培養液用容器１２０の内部に配設されている。
本実施例では、植物支持体１１０は、一例として、脚部１１１を有している。
脚部１１１は、植物支持体１１０の下方に設けられ、下方へ延びて培養液用容器１２０の底部１２１と接触している。
【００４０】
つまり、植物支持体１１０は、培養液用容器１２０の内部の培養液ＦＬに浮いている構成ではなく、培養液用容器１２０の底部１２１に立って植物ＰＴを支持する構成である。
培養液用容器１２０は、培養液ＦＬを貯えるものであり、所謂、水槽の役割を果たす。
シート状の給液用導液材１３０は、培養液ＦＬを植物ＰＴへ導くものである。
本実施例のシート状の給液用導液材１３０は、毛管現象で液体を吸い上げて移動させるフェルトや不織布である。
【００４１】
なお、シート状の給液用導液材１３０の上に防根シート１６０を配設することが望ましい。
植物ＰＴの根ＰＴ１が直に空気にさらされてしまうことを回避でき、さらされた場合と比べて、植物ＰＴの発育をよくすることができる。
ここで、根ＰＴ１は、シート状の給液用導液材１３０と、防根シート１６０との間を伸びるように成長するので、防根シート１６０が押し上げられる虞はない。
また、シート状の給液用導液材１３０の上に適宜、培地を加えてもよい。
【００４２】
蓋部材１４０は、培養液用容器１２０を覆うものである。
図４に示すように、シート状の給液用導液材１３０の両側の端部分１３１が、培養液用容器１２０の内部の培養液ＦＬに浸かるとともに、シート状の給液用導液材１３０の中央部分１３２が、植物支持体１１０の上に配設されている。
本実施例では、植物ＰＴの根ＰＴ１が、シート状の給液用導液材１３０の中央部分１３２の上に設置されている。
【００４３】
さらに、蓋部材１４０が、培養液用容器１２０に対して着脱自在に培養液用容器１２０の長手方向Ｄ２に複数配設されている。
具体的には、図３および図５に示すように、左側蓋部材１４０Ａ、中央蓋部材１４０Ｂ、右側蓋部材１４０Ｃの３つが配設されている。
さらに、図５に示すように、左側蓋部材１４０Ａ、中央蓋部材１４０Ｂ、右側蓋部材１４０Ｃがそれぞれ、培養液用容器１２０の長手方向Ｄ２の端部に切り欠き部１４１を有している。
【００４４】
そして、隣り合う蓋部材１４０の切り欠き部１４１が互いに対向して配設され、互いに対向した切り欠き部１４１が植物ＰＴの茎ＰＴ２の周囲を囲っている。
なお、本実施例では、隣り合う蓋部材１４０の切り欠き部１４１同士が植物ＰＴの茎ＰＴ２の周囲を囲っている構成としたが、蓋部材１４０の切り欠き部１４１および端部が植物ＰＴの茎ＰＴ２の周囲を囲う構成でもよい。
これにより、雨が降ったときに雨が蓋部材１４０に当たる。
その結果、雨水が培養液用容器１２０の内部に入ってしまうことを回避して微生物の発生や培養液ＦＬの濃度が薄くなるなどの不都合を防止できる。
【００４５】
さらに、本実施例では、複数の培養液用容器１２０のうちの１つの培養液用容器１２０のみに一例として浮力式の水位計１５０が配設されている。
そして、水位計１５０が、培養液用容器１２０の内部の培養液ＦＬの水位ＷＬを計るように構成されている。
具体的には、水位計１５０が、培養液用容器１２０の内部の培養液ＦＬから上方へ延びて蓋部材１４０の貫通穴１４２を介して突出自在に設けられている。
これにより、培養液用容器１２０の内部の培養液ＦＬの水位ＷＬの変化に伴って水位計１５０の位置が変化して水位計１５０の上端の突出量が変わる。
【００４６】
ここで、前述したチューブ部材１８０によって、水位差がなくなり水位ＷＬが全て同じになる。
その結果、１つの水位計１５０で全ての培養液用容器１２０の水位ＷＬを計測することができる。
また、本実施例では、蓋部材１４０が、点検用開口１４３と、点検用開口１４３に対して着脱自在な開口用蓋１４４とを有している。
これにより、ユーザが培養液用容器１２０の内部を視認可能となる。
【００４７】
さらに、本実施例では、図６に示すように、チューブ部材１８０が、所定の方向Ｄ１に延設された本管部分１８１と、本管部分１８１と各培養液用容器１２０とを繋ぐ支管部分１８２とを有している。
そして、各支管部分１８２が、開閉自在な弁１８３を有している構成である。
これにより、弁１８３の開閉により培養液ＦＬが供給される培養液用容器１２０が選択自在となる。
その結果、ユーザーは使用する培養液用容器１２０と使用しない培養液用容器１２０とを簡単に切り替えることができる。
さらに、弁１８３を開にした培養液用容器１２０間は水位ＷＬが等しくなる。
その結果、ユーザーは培養液ＦＬの供給量を簡単に管理することができる。
なお、本管部分１８１には、開閉弁付きの補給液口１８４が設けられている。
【００４８】
さらに、本実施例では、図７（Ａ）に示すように、シート状の給液用導液材１３０における植物支持体１１０から下方へ垂れ下がる部分である端部分１３１が、下方へ向かって幅細に形成されている。
これにより、幅均一の形状の場合と比べて、培養液ＦＬの量が減少するとシート状の給液用導液材１３０における培養液ＦＬとの接触面積が著しく減少する。
その結果、例えば、植物ＰＴの午前中の培養液ＦＬの吸い上げ量を多くして、午後の培養液ＦＬの吸い上げ量を著しく少なくすることができる。
なお、図７（Ｂ）に示すように、培養液用容器１２０の断面形状を、下方に向かって単位高さあたりの水量が少なくなるように形成してもよい。
【００４９】
また、図８に示すように、蓋部材１４０に代えて、誘引用棚１９４を培養液用容器１２０の上部に取り付けてもよい。
誘引用棚１９４には、誘引ロープ１９５が設けられ、誘引ロープ１９５を植物ＰＴの茎ＰＴ２に巻き付けることにより、植物ＰＴの茎ＰＴ２の成長方向を安定させることができる。
なお、誘引用棚１９４を、蓋部材１４０と併用して蓋部材１４０の上に取り付けてもよいのは勿論である。
【００５０】
このようにして得られた本発明の第１実施例である栽培装置１００は、植物ＰＴを支持する植物支持体１１０と、培養液ＦＬを貯える培養液用容器１２０と、培養液ＦＬを植物ＰＴへ導くシート状の給液用導液材１３０とを備え、培養液用容器１２０が、培養液用容器１２０の内部に植物支持体１１０とシート状の給液用導液材１３０とを有して所定の方向Ｄ１に案内するガイドに沿って移動自在に複数配列されるとともに、所定の方向Ｄ１に培養液ＦＬを供給自在なチューブ部材１８０によって連結され、チューブ部材１８０が、所定の方向Ｄ１に隣り合う培養液用容器１２０間において一方の培養液用容器１２０から他方の培養液用容器１２０へ培養液ＦＬを流入自在に設けられていることにより、ユーザーは自ら移動せずに順次、培養液用容器１２０を移動させて各培養液用容器１２０の植物ＰＴに対して作業をすることができ、さらに、ユーザーは自ら他の培養液用容器１２０の場所へ移動せずに１つの培養液用容器１２０に培養液ＦＬを供給するだけで他の培養液用容器１２０へも培養液ＦＬを供給することができる。
【００５１】
さらに、ガイドが、所定の方向Ｄ１に延設されたレール部材１７０であり、レール部材１７０の上を走行する台車１９０が、所定の方向Ｄ１に複数配列され、培養液用容器１２０が、それぞれ台車１９０の上に載置されている構成であることにより、ユーザーは各培養液用容器１２０の植物ＰＴに対して簡単に作業をすることができ、培養液用容器１２０を所定の方向Ｄ１へ安定させて移動させることができる。
【００５２】
また、レール部材１７０の上に駆動手段を有した駆動車１９０Ａが配置され、駆動車１９０Ａが、培養液用容器１２０を載置した台車１９０と連結されている構成であることにより、ユーザーは台車１９０および培養液用容器１２０を移動させる必要がなく、ユーザーの負担を軽減することができ、ユーザーが重度の障がいを有している場合であっても培養液用容器１２０を移動させて各培養液用容器１２０の植物ＰＴに対して作業をすることができる。
【００５３】
さらに、駆動車１９０Ａがエンコーダを有し、駆動車１９０Ａの外部からの１回の入力信号に基づいて、駆動車１９０Ａの制御部が、所定の方向Ｄ１に連結された一方の台車１９０における所定の方向Ｄ１の中心から他の台車１９０における所定の方向Ｄ１の中心までの１ピッチ分駆動車１９０Ａを移動させる構成であることにより、ユーザーは自ら移動することなく順次培養液用容器１２０の植物ＰＴに対して作業をすることができる。
【００５４】
また、培養液用容器１２０を覆う蓋部材１４０をさらに有し、蓋部材１４０が、培養液用容器１２０に対して着脱自在に培養液用容器１２０の長手方向Ｄ２に左側蓋部材１４０Ａ、中央蓋部材１４０Ｂ、右側蓋部材１４０Ｃとして複数配設されているとともに、長手方向Ｄ２の端部に切り欠き部１４１を有し、隣り合う蓋部材１４０の切り欠き部１４１同士または切り欠き部１４１および端部が植物ＰＴの茎ＰＴ２の周囲を囲い、複数の培養液用容器１２０のうちの１つの培養液用容器１２０のみに水位計１５０が配設されている構成であることにより、容易に蓋部材１４０を培養液用容器１２０から取り外すことができ、容易に培養液用容器１２０の内部を確認して点検することができる。
【００５５】
さらに、チューブ部材１８０が、所定の方向Ｄ１に延設された本管部分１８１と、本管部分１８１と各培養液用容器１２０とを繋ぐ支管部分１８２とを有し、各支管部分１８２が、開閉自在な弁１８３を有している構成であることにより、ユーザーは使用する培養液用容器１２０と使用しない培養液用容器１２０とを簡単に切り替えることができ、ユーザーは培養液ＦＬの供給量を簡単に管理することができる。
【００５６】
また、シート状の給液用導液材１３０における植物支持体１１０から下方へ垂れ下がる部分である端部分１３１が、下方へ向かって幅細に形成されている構成であることにより、例えば、植物ＰＴの午前中の培養液ＦＬの吸い上げ量を多くして、午後の培養液ＦＬの吸い上げ量を著しく少なくすることができるなど、その効果は甚大である。
【実施例２】
【００５７】
続いて、本発明の第２実施例である栽培装置２００について、図９および図１０に基づいて説明する。
ここで、図９は、本発明の第２実施例である栽培装置２００の全体の概念を示す側面図であり、図１０は、図９の符号１０から視た図である。
第２実施例の栽培装置２００は、第１実施例の栽培装置１００の培養液用容器１２０を所定の方向Ｄ１に長尺に１つ設置し、植物支持体２１０、紐状の給液用導液材２３０および植物ＰＴが培養液用容器２２０に対して所定の方向Ｄ１に移動自在にしたものであり、多くの要素について第１実施例の栽培装置１００と共通するので、共通する事項については詳しい説明を省略し、下２桁が共通する２００番台の符号を付すのみとする。
【００５８】
本発明の第２実施例である栽培装置２００は、図９および図１０に示すように、植物ＰＴを支持する植物支持体２１０と、培養液ＦＬを貯える培養液用容器２２０と、培養液ＦＬを植物ＰＴへ導く給液用導液材２３０とを備えている。
本実施例では、培養液用容器２２０が、所定の方向Ｄ１に延設されている。
言い換えると、所定の方向Ｄ１に長尺に１つ設置されて培養液ＦＬの水路を形成している。
【００５９】
例えば、平面視ゼロ字状の水路を形成する。
また、植物支持体２１０および給液用導液材２３０が、培養液用容器２２０に対して所定方向に沿って移動自在に複数配列されている。
さらに、給液用導液材２３０が紐状であり、植物支持体２１０から培養液用容器２２０の内部の培養液ＦＬまで延設されている。
より具体的には、培養液用容器２２０の上方に、植物支持体２１０および植物ＰＴを有した架台２９６が設けられている。
培養液用容器２２０と対向する上方には、レール部材２７０が所定の方向Ｄ１に延設されている。
【００６０】
レール部材２７０に沿って吊り車２９０が移動自在に複数配列されている。
そして、隣り合う吊り車２９０と吊り車２９０は、連結用ロープ２９２によって連結されている。
各吊り車２９０から下方に吊り２９７が延設され、吊り２９７の下端に設けられたフック２９８には、架台２９６が引っかけられている。
これにより、架台２９６は、培養液用容器２２０の上方を所定の方向Ｄ１に沿って移動自在となる。
言い換えると、各植物支持体２１０および給液用導液材２３０が培養液用容器２２０の延設方向である所定の方向Ｄ１へ移動自在となる。
【００６１】
その結果、ユーザーは自ら所定の方向Ｄ１へ移動せずに植物支持体２１０および給液用導液材２３０と一体に植物ＰＴを所定の方向Ｄ１へ移動させて隣の植物ＰＴに対して作業をすることができる。
つまり、ユーザーが障がいを有して移動が困難である場合であっても、ユーザーは自ら移動せずに順次、植物支持体２１０および給液用導液材２３０と一体に植物ＰＴを移動させて各植物ＰＴに対して作業をすることができる。
さらに、植物支持体２１０および給液用導液材２３０が移動した際、培養液用容器２２０の内部の培養液ＦＬが給液用導液材２３０によって撹拌される。
その結果、培養液ＦＬが腐ってしまうことを回避することができる。
【００６２】
さらに、本実施例の栽培装置２００は、所定の方向Ｄ１へ牽引する牽引手段の一例である駆動車２９０Ａを有している。
駆動車２９０Ａは、モータ２９１を有してレール部材２７０に沿って移動自在に構成されている。
そして、植物支持体２１０が、牽引手段と連結されて牽引手段に牽引されて所定の方向Ｄ１へ移動するように構成されている。
より具体的には、牽引手段である駆動車２９０Ａは、連結用ロープ２９２によって吊り車２９０と連結されている。
【００６３】
これにより、植物ＰＴが植物支持体２１０と一体に牽引手段である駆動車２９０Ａに牽引されて所定の方向Ｄ１へ移動する。
その結果、ユーザーは植物ＰＴおよび植物支持体２１０を移動させる必要がなく、ユーザーの負担を軽減することができる。
つまり、ユーザーが重度の障がいを有している場合であっても植物ＰＴおよび植物支持体２１０を培養液用容器２２０に対して所定の方向Ｄ１へ移動させて各植物ＰＴに対して作業をすることができる。
【００６４】
なお、架台２９６の下方の植物ＰＴの根ＰＴ１に培養資材の一例として肥料や土を設けてもよい。
給液用導液材２３０によって必要な分の培養液ＦＬのみが培養液用容器２２０から植物ＰＴの根ＰＴ１に供給されるため、１つの吊り車２９０に作用する重量を軽くすることができる。
また、ユーザーの作業位置に小さな部屋を設けて、植物ＰＴの栽培領域とユーザーの作業領域とを分けてもよい。
この場合、それぞれの領域で空調管理することにより、人間にとって快適な温度・湿度と、植物ＰＴにとって快適な温度・湿度とを提供することができる。
また、架台２９６を上方より吊ったが、これに限られない。
植物支持体２１０を培養液用容器２２０の内部の培養液ＦＬの水面に浮かせて、培養液用容器２２０の側方に設けたレール部材２７０の駆動車２９０Ａによって植物支持体２１０が所定方向に牽引されるように構成してもよい。
【００６５】
このようにして得られた本発明の第２実施例である栽培装置２００は、植物ＰＴを支持する植物支持体２１０と、培養液ＦＬを貯える培養液用容器２２０と、培養液ＦＬを植物ＰＴへ導く給液用導液材２３０とを備え、培養液用容器２２０が、所定の方向Ｄ１に延設され、植物支持体２１０および給液用導液材２３０が、培養液用容器２２０に対して所定方向に沿って移動自在に複数配列され、給液用導液材２３０が、植物支持体２１０から培養液用容器２２０の内部の培養液ＦＬまで延設されていることにより、ユーザーが障がいを有して移動が困難である場合であっても、ユーザーは自ら移動せずに順次、植物支持体２１０および給液用導液材２３０と一体に植物ＰＴを移動させて各植物ＰＴに対して作業をすることができ、さらに、植物支持体２１０および給液用導液材２３０が移動した際、培養液用容器２２０の内部の培養液ＦＬが給液用導液材２３０によって撹拌されるため、培養液ＦＬが腐ってしまうことを回避することができる。
【００６６】
さらに、栽培装置２００は、所定の方向Ｄ１へ牽引する牽引手段の一例である駆動車２９０Ａをさらに有し、植物支持体２１０が、駆動車２９０Ａと連結されて駆動車２９０Ａに牽引されて所定の方向Ｄ１へ移動する構成であることにより、ユーザーが重度の障がいを有している場合であっても植物ＰＴおよび植物支持体２１０を培養液用容器２２０に対して所定の方向Ｄ１へ移動させて各植物ＰＴに対して作業をすることができるなど、その効果は甚大である。
【符号の説明】
【００６７】
１００、  ２００  ・・・  栽培装置
１１０、  ２１０  ・・・  植物支持体
１１１            ・・・  脚部
１２０、  ２２０  ・・・  培養液用容器
１２１            ・・・  底部
１３０、  ２３０  ・・・  給液用導液材
１３１            ・・・  端部分（垂れ下がる部分）
１３２            ・・・  中央部分
１４０            ・・・  蓋部材
１４０Ａ          ・・・  左側蓋部材
１４０Ｂ          ・・・  中央蓋部材
１４０Ｃ          ・・・  右側蓋部材
１４１            ・・・  切り欠き部
１４２            ・・・  貫通穴
１４３            ・・・  点検用開口
１４４            ・・・  開口用蓋
１５０            ・・・  浮力式の水位計
１６０            ・・・  防根シート
１７０、  ２７０  ・・・  レール部材（ガイド）
１８０            ・・・  チューブ部材
１８１            ・・・  本管部分
１８２            ・・・  支管部分
１８３            ・・・  弁
１８４            ・・・  補給液口
１９０            ・・・  台車
２９０  ・・・吊り車
１９０Ａ、２９０Ａ・・・  駆動車
１９１、  ２９１  ・・・  モータ（駆動手段）
１９２、  ２９２  ・・・  連結用ロープ
１９３            ・・・  リモートコントローラ
１９４            ・・・  誘引用棚
１９５            ・・・  誘引ロープ
２９６  ・・・  架台
２９７  ・・・  吊り
２９８  ・・・  フック
ＰＴ              ・・・  植物
ＰＴ１            ・・・  根
ＰＴ２            ・・・  茎
ＦＬ              ・・・  培養液
ＷＬ              ・・・  水位
Ｄ１              ・・・  所定の方向
Ｄ２              ・・・  （培養液用容器の）長手方向
【図１】
2020025511.tif 000003
【図２】
2020025511.tif 000004
【図３】
2020025511.tif 000005
【図４】
2020025511.tif 000006
【図５】
2020025511.tif 000007
【図６】
2020025511.tif 000008
【図７】
2020025511.tif 000009
【図８】
2020025511.tif 000010
【図９】
2020025511.tif 000011
【図１０】
2020025511.tif 000012